(57)【要約】      （修正有）【課題】デジタルカメラ画像のセンター部分用減光フィルターを一眼レフデジタルカメラのレンズ鏡筒前面に装着して使用し、画像の中心部分の色の濃さや明るさ（輝度）を変化させて表現できる新しい減光フィルターを提供する。【解決手段】デジタルカメラのレンズ鏡筒前面に装着可能な円形フィルターレンズ基板３の表面、或いは裏面に光軸を中心に任意な直径を有する円形状のシルク印刷やインクジェット印刷による着色被膜１８等からなる均一加工部１５を構成し、該均一加工部における着色の濃度や透明度、または貼着する材料の厚さにて光の透過量を調整可能となし、該均一加工部以外はリング形状の光の素通し部分１６として構成した。【選択図】図２
0003195470.tif 000002
【実用新案登録請求の範囲】
【請求項１】
デジタルカメラのレンズ鏡筒前面に装着可能なフィルター枠内には円形フィルターレンズ基板が嵌着されており、該円形フィルターレンズ基板の表面或いは裏面には光軸を中心に任意な直径を有する円形状のシルク印刷やインクジェット印刷による着色被膜からなる均一加工部を構成し、該均一加工部における着色の濃度にて光の透過量を調整可能となし、該均一加工部以外はリング形状の光の素通し部分として構成し、前記円形フィルターレンズ基板の光軸を中心に設けた円形状の均一加工部においてデジタルカメラ画像のセンター部分に色の濃さや明るさを変化させた独特の減光部分を作り出すことを特徴とするデジタルカメラ用の減光フィルター。
【請求項２】
デジタルカメラのレンズ鏡筒前面に装着可能なフィルター枠内には円形フィルターレンズ基板が嵌着されており、該円形フィルターレンズ基板の表面或いは裏面には光軸を中心に任意な直径を有する円形状のフイルムシートを貼着した均一加工部を構成し、該均一加工部におけるフイルムシートの色合いで光の透過量を調整可能となし、該均一加工部以外はリング形状の光の素通し部分として構成し、前記円形フィルターレンズ基板の光軸を中心に設けた円形状の均一加工部においてデジタルカメラ画像のセンター部分に色の濃さや明るさを変化させた独特の減光部分を作り出すことを特徴とするデジタルカメラ用の減光フィルター。
【請求項３】
デジタルカメラのレンズ鏡筒前面に装着可能なフィルター枠内には円形フィルターレンズ基板が嵌着されており、該円形フィルターレンズ基板の表面或いは裏面には光軸を中心に任意な直径を有する円形状の金属蒸着被膜の付着加工を施した均一加工部分を構成し、該均一加工部における金属蒸着被膜の厚さにて光の透過量を調整可能となし、該均一加工部以外はリング形状の光の素通し部分として構成し、前記円形フィルターレンズ基板の光軸を中心に設けた円形状の均一加工部においてデジタルカメラ画像のセンター部分に色の濃さや明るさを変化させた独特の減光部分を作り出すことを特徴とするデジタルカメラ用の減光フィルター。
【請求項４】
前記円形フィルターレンズ基板に設けた円形状の均一加工部をグラデーション加工部として構成し、該グラデーション加工部は夫々の光軸を中心に外部側に向かって段階的、または連続的に着色濃度や透明度を可変させた加工にて前記円形フィルターレンズ基板を製作し、或いは前記グラデーション加工部は夫々の光軸に向かって外部側より段階的、または連続的に着色濃度や透明度を可変させた加工にて前記円形フィルターレンズ基板を製作し、該円形フィルターレンズ基板のグラデーション加工部においてデジタルカメラ画像のセンター部分を中心に色の濃さや明るさを変化させた独特の減光部分を作り出すことを特徴とする請求項１乃至請求項３のいずれかに記載されたデジタルカメラ用の減光フィルター。
【考案の詳細な説明】
【技術分野】
【０００１】
本考案は、一眼レフデジタルカメラ用に開発された画像のセンター部分用減光フィルターに関するものである。
【０００２】
減光フィルターとはＮＤ（Ｎｅｕｔｒａｌ  Ｄｅｎｓｉｔｙ）フィルターとも云われ、あらゆる色彩に対して影響を与えず光の量だけを減少する光量フィルターである。従って、従来のフイルム式カメラにおいては、明るい場所や、高感度フイルムを使っているときも、絞りやシャッタースピードを思いの数値にセットして撮影のできるフィルターであり、ＮＤフィルターは、黒色の濃さと度合いにより、光減フィルターＮＤ２、光減フィルターＮＤ４、光減フィルターＮＤ８、そして、大光量を調整できる光減フィルターＮＤ４００などがあった。
【０００３】
また、一眼レフデジタルカメラが普及してきた最近でも、減光フィルターＮＤ２、減光フィルターＮＤ４、減光フィルターＮＤ８、そして、大光量を調整できる減光フィルターＮＤ４００はデジタルカメラ用としても使用されてきている。
【０００４】
斯くして、本考案は、一眼レフデジタルカメラにおいて使用して、画像の中心部分の色の濃さや明るさ（輝度）を変化させて表現可能なセンター部分用の減光フィルターを提供するものである。
【背景技術】
【０００５】
１眼レフデジタルカメラは、光学信号である画像を電気信号に変換する撮像素子（光学センサ）にＣＣＤイメージセンサかＣＭＯＳイメージセンサが用いられており、該撮像素子で撮影した画像をデジタルデータとして記録するカメラであり、最近、特に撮像素子の進展は、微細な光信号までを高感度で正確にデジタルデータとして捉えられるようになってきた。
【０００６】
従って、本考案においては、画像のセンター部分用の減光フィルターを１眼レフカメラのレンズ鏡筒前面に装着して使用し、画像の中心部分の色の濃さや明るさ（輝度）を変化させて表現できる新しい減光フィルターを提供する試みがなされた。
【考案の概要】
【考案が解決しようとする課題】
【０００７】
本考案が解決しようとする課題は、一眼レフデジタルカメラにおいて、光学信号である画像を電気信号に変換する撮像素子（光学センサ）は、ＣＣＤイメージセンサかＣＭＯＳイメージセンサを搭載して高感度になり、微細な光信号までを正確にデジタルデータとしてとらえられるようになってきた点に注目してなされたものであり、デジタルカメラ画像のセンター部分用減光フィルターを一眼レフデジタルカメラのレンズ鏡筒前面に装着して使用し、画像の中心部分の色の濃さや明るさ（輝度）を変化させて表現できる新しい減光フィルターを提供するものである。
【課題を解決するための手段】
【０００８】
本考案において、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状のシルク印刷、またはインクジェット印刷による着色被膜からなる均一加工部を構成し、該均一加工部における着色の濃度にて光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターを提供するものである。
【０００９】
また、本考案において、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状のフイルムシートを貼着した均一加工部を構成し、該均一加工部におけるフイルムシートの色合いで光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターを提供するものである。
【００１０】
更に、本考案おいて、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状の金属蒸着被膜の付着加工を施した均一加工部分を構成し、該均一加工部における金属蒸着被膜の厚さにて光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターを提供するものである。
【００１１】
而して、本考案において、課題を解決するための他の実施例として、前記円形フィルターレンズ基板に設けた円形状の均一加工部を円形のシルク印刷やインクジェット印刷による着色被膜からなるグラデーション加工部や円形状のフイルムシートを貼着したグラデーション加工部、並びに円形状の金属蒸着被膜の付着加工を施したグラデーション加工部に構成し、該グラデーション加工部は夫々の光軸を中心に外部側に向かって段階的、または連続的に着色濃度やフイルムシートの濃度や透明度を可変させる加工、並びに金属蒸着被膜の厚さを段階的に徐々に薄くして付着させる手法、または連続的に金属被膜の厚さを薄くして付着させていく手法にて前記円形フィルターレンズ基板を製作し、該円形フィルターレンズ基板のグラデーション加工部において画像のセンター部分に独特の減光部分を作り出すデジタルカメラ用の減光フィルターを提供するものである。
【考案の効果】
【００１２】
斯して、本考案は、一眼レフデジタルカメラにおいて光学信号である画像を電気信号に変換する撮像素子（光学センサ）はＣＣＤイメージセンサかＣＭＯＳイメージセンサがより高感度になり、微細な光信号までを正確にデジタルデータとして捉えられるようになってきた点を最大限に利用したもので、前記均一加工部、またはグラデーション加工部を有する円形フィルターレンズを嵌着したフィルター枠を一眼レフデジタルカメラのレンズ鏡筒前面に装着して使用し、画像の中心部分の色の濃さや明るさ（輝度）を変化させて表現できる新しい減光フィルターを提供することが可能になった。
【図面の簡単な説明】
【００１３】
【図１】（Ａ）本考案に使用されるフィルター枠を説明する組み立て部品図である。         （Ｂ）本考案に使用されるフィルター枠を説明する要部断面図である。
【図２】（Ａ）本考案の実施例１を説明するフィルター枠正面図である。         （Ｂ）本考案の実施例２を説明するフィルター枠正面図である。         （Ｃ）本考案の実施例３を説明するフィルター枠正面図である。
【図３】（Ａ）本考案の実施例４を説明するフィルター枠正面図である。         （Ｂ）本考案の実施例５を説明するフィルター枠正面図である。         （Ｃ）本考案の実施例６を説明するフィルター枠正面図である。
【考案を実施するための形態】
【００１４】
本考案の目的は、一眼レフデジタルカメラにおいて、光学信号である画像を電気信号に変換する撮像素子（光学センサ）は、ＣＣＤイメージセンサかＣＭＯＳイメージセンサを搭載して高感度になり、微細な光信号までを正確にデジタルデータとしてとらえられるようになってきた点に注目してなされたものであり、デジタルカメラ画像のセンター部分用の減光フィルターを一眼レフデジタルカメラのレンズ鏡筒前面に装着して使用し、画像の中心部分の色の濃さや明るさ（輝度）を変化させて表現できる新しい減光フィルターを提供するものである。
【００１５】
本考案において、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状のシルク印刷、またはインクジェット印刷による着色被膜からなる均一加工部を構成し、該均一加工部における着色の濃度にて光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターであることが好ましい。
【００１６】
また、本考案おいて、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状のフイルムシートを貼着した均一加工部を構成し、該均一加工部におけるフイルムシートの色合いで光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターであることが好ましい。
【００１７】
更に、本考案において、デジタルカメラのレンズ鏡筒前面に装着可能なフィルター枠内には、円形フィルターレンズ基板が嵌着されており、該円形フィルターレンズ基板の表面或いは裏面には光軸を中心に任意な直径を有する円形状の金属蒸着被膜の付着加工を施した均一加工部分を構成し、該均一加工部における金属蒸着被膜の厚さにて光の透過量を調整可能となし、該均一加工部以外はリング形状の光の素通し部分として構成し、前記円形フィルターレンズ基板の光軸を中心に設けた円形状の均一加工部において画像のセンター部分に独特の減光部分を作り出すデジタルカメラ用の減光フィルターであることが好ましい。
【００１８】
そして、本考案は、前記円形フィルターレンズ基板に設けた円形状の均一加工部を円形のシルク印刷やインクジェット印刷による着色被膜からなるグラデーション加工部や円形状のフイルムシートを貼着したグラデーション加工部、並びに円形状の金属蒸着被膜の付着加工を施したグラデーション加工部に構成し、該グラデーション加工部は夫々の光軸を中心に外部側に向かって段階的、または連続的に着色濃度やフイルムシートの濃度や透明度を可変させる加工、並びに金属蒸着被膜の厚さを段階的に徐々に薄くして付着させる手法、または連続的に金属被膜の厚さを薄くして付着させていく手法にて前記円形フィルターレンズ基板を製作し、該円形フィルターレンズ基板のグラデーション加工部において画像のセンター部分に独特の減光部分を作り出すデジタルカメラ用の減光フィルターを提供するものである。
【００１９】
斯くして、本考案に使用される円形状のシルク印刷による着色被膜からなる均一加工部やグラデーション加工部分は、アクリル系樹脂塗装塗料やエポキシ樹脂塗料を用いたシルク印刷を用いて円形フィルターレンズに着色被膜を形成可能であり、また、円形フィルターレンズ基板に最近大手印刷会社が夫々開発しているインクジェット印刷を用いて着色被膜を形成可能である。
【００２０】
そして、シルク印刷やインクジェット印刷は、例えば表面が凹凸形状のフィルターレンズ面でも印刷可能であり、該印刷は着色濃度を選択して均一的に、或いは段階的、または連続的にその濃度を変えた着色やカラー着色被膜の形成が可能であり、本考案が必要とするフィルターレンズ基板を得ることは充分に可能である。
【００２１】
また、本考案に使用される円形状のフイルムシートを貼着したグラデーション加工部分は、スコッチカルフイルムシート（住友３Ｍ株式会社の登録商標）を用いて円型フィルターレンズの表面、或いは裏面に円形の均一加工部やグラデーション加工部として貼着するものであり、前記スコッチカルフイルムシートは、ビル用ガラス専用や車用フロントガラス専用のフイルムシートを製品化しており、前記製品は耐候性が良いばかりでなく紫外線のカット機能も有しておりフィルターに用いることにより大きな利用価値が生じる。
【００２２】
更に、本考案に使用される均一加工部やグラデーション加工部分において、金属蒸着被膜の厚さを制御して付着させる手法は、真空蒸着法、スパッタリング法などの蒸着被膜形成法を用いることにより行うことができる。真空蒸着法は真空中で被覆したい材料を加熱蒸着させ、その蒸気をフィルターレンズ基板の表面に凝結させて金属皮膜とするもので、同様の手法として原子、分子、或いはイオンを被覆材料に衝突させる現象を起こさせ、該衝突によって放出されるフィルターレンズ基板の表面に付着させて金属皮膜を形成するスパッタリング法も利用できる。
【００２３】
そして、本考案のフィルターレンズ基板に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを正確に制御して、均一に蒸着被膜を形成したり、光軸を中心にその外部側に向かって蒸着被膜を段階的に、或いは連続的に徐々に薄く付着するように加工することは、容易に行えることである。
【００２４】
而して、本考案の実施例においては、最近の一眼レフデジタルカメラが、光学信号である画像を電気信号に変換する撮像素子（光学センサ）において、ＣＣＤイメージセンサかＣＭＯＳイメージセンサを搭載して高感度になり、微細な光信号までを正確にデジタルデータとしてとらえられるようになってきた点を最大限利用して、前記円型フィルターレンズ面に形成される円形の均一加工部を非常に大きく構成して、該均一加工部以外のリング形状の光の素通し部分を極端に少なくする構成も充分に可能で、例えばフィルターのサイズが４９ｍｍの場合に直径が２０〜３０ｍｍ程度の大きさまで支障なく利用できるようになった。
【００２５】
また、本考案の実施例においては、上述したように円型フィルターレンズ面に形成される円形のグラデーション加工部は、夫々光軸を中心に円型フィルターレンズ面の外側に向かって段階的、または、連続的に着色濃度や透明度、そして蒸着被膜の厚さを薄くさせるものであるが、この構成は、逆に円型のグラデーション加工部は夫々の光軸の中心に向かって段階的、または連続的に着色濃度や透明度、そして蒸着被膜の厚さを薄くしていく構成でも、画像の中心部分の色の濃さや明るさ（輝度）を変化させて表現できる新しい減光フィルターを提供することが可能となる。
【実施例１】
【００２６】
図１（Ａ）は本考案を説明するためのフィルター枠と円型フィルターレンズの組み立て説明図、図１（Ｂ）は本考案を説明するためのフィルター枠とフィルターレンズの関係を示す要部断面図である。図１（Ａ）、図１（Ｂ）において、１はフィルター枠、２はフィルター枠１が形成するフィルター外周枠、３は円型フィルターレンズ基板、４はフィルターレンズ押さえバネ、５はフィルターレンズ嵌着部、６はレンズ押さえ縁部であり、前記フィルター外周枠２の入射光側７の内側内径部８には他のアタッチメントを螺着するための雌ネジ９が螺着されており、また、フィルター外周枠２のカメラレンズ側１０には、カメラレンズ鏡筒１１の前面にフィルター外周枠２を螺着するためのピッチの細かい雄ネジ１２が螺設されていて雄ネジ外筒部１３を形成している。尚１４はフィルター枠１と円型フィルターレンズ基板３、並びにカメラレンズ鏡筒１１の光軸を示している。
【００２７】
図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００２８】
また、図２（Ａ）は本考案の実施例１を説明する減光フィルターのフィルター枠１の正面図を示すものであり、図２（Ａ）において、１はフィルター枠、２はフィルター枠、３は円型フィルターレンズ基板であり、該円型フィルターレンズ基板３の面上には均一加工部１５と素通し部分１６が形成されている。
【００２９】
而して、実施例１は、デジタルカメラのレンズ鏡筒１１前面に装着可能なフィルター枠１内には円形フィルターレンズ基板３が嵌着されており、該円形フィルターレンズ基板３の表面、或いは裏面には光軸１４を中心に任意な直径Ｒを有する円形状のシルク印刷、またはインクジェット印刷による均一に着色された着色被膜１８からなる均一加工部１５を構成し、該均一加工部１５における着色の濃度にて光の透過量を調整可能となし、該均一加工部１５以外はリング形状の光の素通し部分１６として構成し、前記円形フィルターレンズ基板３の光軸１４を中心に設けた円形状の均一加工部１５において画像のセンター部分に独特の減光部分を作り出すデジタルカメラ用の減光フィルターである。
【００３０】
また、実施例１に使用される円形状のシルク印刷による着色被膜１８からなる均一加工部やグラデーション加工部分は、アクリル系樹脂塗装塗料やエポキシ樹脂塗料を用いたシルク印刷を用いて円形フィルターレンズに着色被膜を形成可能であり、また、円形フィルターレンズ基板に最近大手印刷会社が夫々開発しているインクジェット印刷を用いて着色被膜を形成可能である。
【００３１】
そして、シルク印刷やインクジェット印刷は、例えば表面が凹凸形状のフィルターレンズ面でも印刷可能であり、該印刷は着色濃度を選択して均一的に、或いは段階的、または連続的にその濃度を変えた着色やカラー着色被膜１８の形成が可能であり、本考案が必要とするフィルターレンズ基板を得ることは充分に可能である。
【実施例２】
【００３２】
実施例２において、フィルターレンズ基板３が装着されるフィルター枠１の構成は、実施例１と同様に本考案を説明するための組み立て説明図、図１（Ａ）と、フィルター枠１とフィルターレンズ基板３の関係を示す要部断面図、図１（Ｂ）にて説明される。
【００３３】
即ち、図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００３４】
また、図２（Ｂ）は本考案の実施例２を説明する減光フィルターのフィルター枠１の正面図を示すものであり、図２（Ｂ）において、１はフィルター枠、２はフィルター枠、３は円型フィルターレンズ基板であり、該円型フィルターレンズ基板３の面上には均一加工部１５と素通し部分１６が形成されている。
【００３５】
而して、実施例２は、デジタルカメラのレンズ鏡筒１１前面に装着可能なフィルター枠１内には円形フィルターレンズ基板３が嵌着されており、該円形フィルターレンズ基板３の表面、或いは裏面には光軸１４を中心に任意な直径Ｒを有する円形状のフイルムシート１９を貼着した均一加工部１５を構成し、該均一加工部１５におけるフイルムシート１９の均一な色合いで光の透過量を調整可能となし、該均一加工部１５以外はリング形状の光の素通し部分１６として構成し、前記円形フィルターレンズ基板３の光軸１４を中心に設けた円形状の均一加工部１５において画像のセンター部分に独特の減光部分を作り出すデジタルカメラ用の減光フィルターである。
【００３６】
また、本考案に使用される円形状のフイルムシート１９を貼着した均一加工部分１５は、スコッチカルフイルムシート１９（住友３Ｍ株式会社の登録商標）等を用いて円型フィルターレンズ基板３の表面、或いは裏面に円形の均一加工部１５として貼着するものであり、前記スコッチカルフイルムシート１９等は、ビル用ガラス専用や車用フロントガラス専用のフイルムシートを製品化しており、前記製品は耐候性が良いばかりでなく紫外線のカット機能も有しておりフィルターレンズに貼着して大きな利用価値がある。
【実施例３】
【００３７】
実施例３において、フィルターレンズ基板３が装着されるフィルター枠１の構成は、実施例１と同様に本考案を説明するための組み立て説明図、図１（Ａ）と、フィルター枠１とフィルターレンズ基板３の関係を示す要部断面図、図１（Ｂ）にて説明される。
【００３８】
即ち、図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００３９】
また、図２（Ｃ）は本考案の実施例３を説明する減光フィルターのフィルター枠１の正面図を示すものであり、図２（Ｃ）において、１はフィルター枠、２はフィルター枠、３は円型フィルターレンズ基板であり、該円型フィルターレンズ基板３の面上には均一加工部１５と素通し部分１６が形成されている。
【００４０】
而して、実施例３は、デジタルカメラのレンズ鏡筒１１前面に装着可能なフィルター枠１内には円形フィルターレンズ基板３が嵌着されており、該円形フィルターレンズ基板３の表面、或いは裏面には光軸１４を中心に任意な直径Ｒを有する円形状の金属蒸着被膜１９を均一に付着加工を施した均一加工部分１５を構成し、該均一加工部１５における金属蒸着被膜２０の厚さにて光の透過量を調整可能となし、該均一加工部１５以外はリング形状の光の素通し部分１６として構成し、前記円形フィルターレンズ基板３の光軸１４を中心に設けた円形状の均一加工部１５において画像のセンター部分に独特の減光部分を作り出すデジタルカメラ用の減光フィルターである。
【００４１】
また、実施例３使用される均一加工部分１５において、金属蒸着被膜２０の厚さを制御して均一に付着させる手法は、真空蒸着法、スパッタリング法などの蒸着被膜形成法を用いることにより行うことができる。真空蒸着法は真空中で被覆したい材料を加熱蒸着させ、その蒸気を円形フィルターレンズ基板３の表面に凝結させて金属蒸着皮膜２０とするもので、同様の手法として原子、分子、或いはイオンを被覆材料に衝突させる現象を起こさせ、該衝突によって放出される円形フィルターレンズ基板３の表面に付着させて金属蒸着皮膜２０を形成するスパッタリング法も利用できる。
【００４２】
そして、実施例３の円型フィルターレンズ基板３に蒸着される金属材料は、光学特性を有する酸化珪素、二酸化チタン、酸化亜鉛、フッ化マグネシュムなどの酸化物やフッ化物を使用することができ、該金属材料を蒸着する際に金属蒸着被膜２０の厚さを正確に制御して、光軸１４を中心とした任意な直径Ｒ、及び任意な厚さを有する蒸着被膜を有する均一加工部１５を構成することは容易に行えることである。
【実施例４】
【００４３】
実施例４において、フィルターレンズ基板３が装着されるフィルター枠１の構成は、実施例１と同様に本考案を説明するための組み立て説明図、図１（Ａ）と、フィルター枠１とフィルターレンズ基板３の関係を示す要部断面図、図１（Ｂ）にて説明される。
【００４４】
即ち、図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００４５】
また、図３（Ａ）は本考案の実施例４を説明する減光フィルターのフィルター枠１の正面図を示すものであり、図３（Ａ）において、１はフィルター枠、２はフィルター枠、３は円型フィルターレンズ基板であり、該円型フィルターレンズ基板３の面上にはグラデーション加工部１７と素通し部分１６が形成されており、該グラデーション加工部１７の構成は、円形状のシルク印刷、または円形状のインクジェット印刷による着色被膜１８ａ、１８ｂ、１８ｃからなるもので、前記、シルク印刷は、アクリル系樹脂塗料やエポキシ塗料を用いて加工され、またインクジェット印刷は、例えば表面が凹凸形状のフィルターレンズ面でも自由に印刷が可能で、該夫々の印刷により着色被膜１８ａ、１８ｂ、１８ｃは着色濃度を選択して段階的に変化させた着色被膜１８ａ、１８ｂ、１８ｃを構成している（図３（Ａ）はこの状態を示す）。そして、実施例４の他の実施例として、前記着色被膜１８ａ、１８ｂ、１８ｃの着色濃度を連続的に変えた着色やカラー着色を行うことも可能であり、光の透過量を着色被膜１８ａ、１８ｂ、１８ｃが構成するグラデーション加工部１７にて調整可能としたデジタルカメラ用の減光フィルターを提供するものである。
【実施例５】
【００４６】
実施例５において、フィルターレンズ基板３が装着されるフィルター枠１の構成は、実施例１と同様に本考案を説明するための組み立て説明図、図１（Ａ）と、フィルター枠１とフィルターレンズ基板３の関係を示す要部断面図、図１（Ｂ）にて説明される。
【００４７】
即ち、図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００４８】
また、図３（Ｂ）は、実施例５を説明する減光フィルターのフィルター枠１の正面図を示すものであり、図３（Ｂ）において、１はフィルター枠、２はフィルター枠、３は円型フィルターレンズ基板であり、該円型フィルターレンズ基板３の面上にはフイルムシート１９ａ、１９ｂ、１９ｃを貼着して構成されるグラデーション加工部１７と素通し部分１６が形成されており、前記フイルムシート１９ａ、１９ｂ、１９ｃを貼着したグラデーション加工部１７は光軸１４を中心に外部側に向かって段階的にフイルムシート１９ａ、１９ｂ、１９ｃの濃度や透明度を変えて貼着したり（図３（Ｂ）に示す）、または連続的にフイルムシート１９ａ、１９ｂ、１９ｃの濃度や透明度、を薄く形成させていく手法にて当該グラデーション加工部分１７における光の透過量を調整可能としたセンター部分用の減光フィルターを提供するものである。
【００４９】
斯くして、実施例５に使用される円形状のフイルムシート１９ａ、１９ｂ、１９ｃを貼着したグラデーション加工部分１７は、スコッチカルフイルムシート（住友３Ｍ株式会社の登録商標）等を用いて円型フィルターレンズ基板３の表面、或いは裏面に円形のグラデーション加工部１７として貼着するものであり、前記スコッチカルフイルムシート等は、ビル用ガラス専用や車用フロントガラス専用のフイルムシートを製品化しており、前記製品は耐候性が良いばかりでなく紫外線のカット機能も有しておりフィルターレンズに貼着して大きな利用価値がある。そして、実施例５に使用されるフイルムシート１９ａ、１９ｂ、１９ｃは夫々の濃度や透明度を選択して段階的、または連続的にその濃度や透明度を変えたフイルムシート１９ａ、１９ｂ、１９ｃ貼りが可能であり、実施例５が必要とするフィルターレンズ基板３にグラデーション加工１７を施すことは充分に可能である。
【実施例６】
【００５０】
実施例６において、フィルターレンズ基板３が装着されるフィルター枠１の構成は、実施例１と同様に本考案を説明するための組み立て説明図、図１（Ａ）と、フィルター枠１とフィルターレンズ基板３の関係を示す要部断面図、図１（Ｂ）にて説明される。
【００５１】
即ち、図１（Ａ）において、フィルター枠１には、本考案の対象となる円型フィルターレンズ基板３が挿着され、該円型フィルターレンズ基板３をフィルター押さえバネ４が後方から嵌着されて、フィルター枠１内に円型フィルターレンズ基板３を図１（Ｂ）に示す如く装着してデジタルカメラ用の減光フィルターを形成している。
【００５２】
また、図３（Ｃ）は本考案の実施例５を説明する減光フィルターのフィルター枠１の正面図を示すものであり、図３（Ｃ）において、１はフィルター枠、２はフィルター枠、３は円型フィルターレンズ基板であり、該円型フィルターレンズ基板３の面上にはグラデーション加工部１７と素通し部分１６が形成されており、前記円形状の金属蒸着被膜２０ａ、２０ｂ、２０ｃの付着加工を施したグラデーション加工部１７は、光軸１４を中心に外部側に向かって段階的に金属蒸着被膜２０ａ、２０ｂ、２０ｃの厚さを夫々薄くして付着させる手法（図３（Ｃ）に示す）、または連続的に金属蒸着被膜２０ａ、２０ｂ、２０ｃの厚さを夫々外部側に向かって薄くして付着させる手法にて光の透過量を調整可能としたデジタルカメラ用の減光フィルターを提供するものである。
【００５３】
斯くして、実施例１乃至実施例６においては、最近の一眼レフデジタルカメラが、光学信号である画像を電気信号に変換する撮像素子（光学センサ）において、ＣＣＤイメージセンサかＣＭＯＳイメージセンサを搭載して高感度になり、微細な光信号までを正確にデジタルデータとしてとらえられるようになってきた点を最大限利用して、前記円型フィルターレンズ基板３面に形成される円形の均一加工部１５やグラデーション加工部１７を非常に大きく構成して、該均一加工部やグラデーション加工部以外のリング形状の光の素通し部分を極端に少なくする構成も充分に可能で、例えばフィルターのサイズが４９ｍｍの場合に均一加工部やグラデーション加工部の直径Ｒが２０〜３０ｍｍ程度の大きさまで支障なく利用できるようになった。
【００５４】
また、実施例４乃至実施例６においては、上述したように円型フィルターレンズ基板３面に形成される円形のグラデーション加工部１７は、夫々光軸１４を中心に円型フィルターレンズ基板３面の外側に向かって段階的、または、連続的に徐々に着色濃度や透明度、そして蒸着被膜の厚さを薄くさせていくものであるが、本考案の他の実施例として、逆に円型のグラデーション加工部１７は夫々の光軸の中心に向かって段階的、または連続的に着色濃度や透明度、そして蒸着被膜の厚さを徐々に薄くしていく構成でも、画像の中心部分の色の濃さや明るさ（輝度）を変化させることができる新しい減光フィルターを提供することが可能となる。
【符号の説明】
【００５５】
１  フィルター枠
２  フィルター外周枠
３  円型フィルターレンズ基板
４  フィルターレンズ押さえバネ
５  フィルターレンズ嵌着部
６  レンズ押さえ縁部
７  入射光側
８  内側内径部
９  雌ネジ
１０  カメラレンズ側
１１  カメラレンズ鏡筒
１２  雄ネジ
１３  雄ネジ外筒部
１４  光軸
１５  均一加工部
１６  素通し部
１７  グラデーション加工部
１８、１８ａ、１８ｂ、１８ｃ  着色被膜
１９、１９ａ、１９ｂ、１９ｃ  フイルムシート
２０、２０ａ、２０ｂ、２０ｃ  金属蒸着被膜
Ｒ  直径
【図１】
0003195470.tif 000003
【図２】
0003195470.tif 000004
【図３】
0003195470.tif 000005